(57)【要約】【課題】  隙間への小便の浸入を阻止するだけでなく、小便の拭き取り、跳ねっ返りの低減、装着の容易化を可能にする。【解決手段】  洋式の便器本体Ａの下部に巻き付ける装着部３と、この装着部３から屈曲部４を介して延設されかつトイレ床Ｂの表面に添接される添接部５とを有する。前記装着部３の裏面には接着可能な接着面３Ｂが形成され、前記装着部３から添接部５に亘る周縁には表面側に突出した突条縁７が形成され、前記装着部３及び添接部５の表面には多数の凸部と凹部とを有する凹凸面８が形成されている。【選択図】図１
2020025614.tif 000002
【特許請求の範囲】
【請求項１】
洋式の便器本体（Ａ）の下部に巻き付ける装着部（３）と、この装着部（３）から屈曲部（４）を介して延設されかつトイレ床（Ｂ）の表面に添接される添接部（５）とを有しており、
前記装着部（３）の裏面には接着可能な接着面（３Ｂ）が形成され、前記装着部（３）から添接部（５）に亘る周縁には表面側に突出した突条縁（７）が形成され、前記装着部（３）及び添接部（５）の表面には多数の凸部と凹部とを有する凹凸面（８）が形成されていることを特徴とするトイレ用隙間シール材。
【請求項２】
前記添接部（５）は屈曲部（４）から突出した山部（５ａ）と屈曲部（４）の近傍の谷部（５ｂ）とが装着部（３）の長手方向に交互に形成されていることを特徴とする請求項１に記載のトイレ用隙間シール材。
【請求項３】
洋式の便器本体（Ａ）の後上部に配置される便器構造物（Ｃ）に添接する装着部（３）と、この装着部（３）から屈曲部（４）を介して延設されかつ便器本体（Ａ）の上縁後部に添接する添接部（５）とを有しており、
前記装着部（３）の裏面には接着可能な接着面（３Ｂ）が形成され、前記装着部（３）から添接部（５）に亘る周縁には表面側に突出した突条縁（７）が形成され、前記装着部（３）及び添接部（５）の表面には多数の凸部と凹部とを有する凹凸面（８）が形成されていることを特徴とするトイレ用隙間シール材。
【請求項４】
前記装着部（３）から屈曲部（４）を介して添接部（５）までシリコーン樹脂で一体成形されており、
前記装着部（３）から屈曲部（４）を介して添接部（５）まで裏面が鏡面仕上げされていることを特徴とする請求項１〜３のいずれか１項に記載のトイレ用隙間シール材。
【請求項５】
前記凹凸面（８）は、装着部（３）から添接部（５）に至る方向に細長い多数本の山とこの山の間の谷とを有することを特徴とする請求項１〜４のいずれか１項に記載のトイレ用隙間シール材。
【発明の詳細な説明】
【技術分野】
【０００１】
本発明は、洋式便器本体とトイレ床との間の隙間等を閉塞するためのトイレ用隙間シール材に関する。
【背景技術】
【０００２】
洋式の便器は、トイレ床の上に便器本体を載置しており、便器本体とトイレ床との間には僅少の隙間が形成され、この隙間に小便が直接にまたは便器本体を伝って入り込むことがある。この隙間に小便が入り込むのを阻止するために、特許文献１に開示された技術がある。
この特許文献１においては、洋式便器の足元に敷くトイレマットにおいて、便器脚部が嵌る開口部の縁に該脚部の下部周面に被せる吸水性の被せ布が設けられている（請求項１）。この被せ布はマット本体の開口縁に沿う方向に引っ張り気味にしてマット本体に逢着されている（請求項３）。
【先行技術文献】
【特許文献】
【０００３】
【特許文献１】特開２００４ー１６３０１号公報
【発明の概要】
【発明が解決しようとする課題】
【０００４】
前記従来技術は、吸水性の被せ布によって、便器本体とトイレ床との間の隙間への小便の浸入を阻止できるが、被せ布から小便を拭き取ることはできなく、トイレマットに逢着されているので、便器本体に対する装着が面倒になっている。
本発明は、このような従来技術の問題点を解決できるようにしたトイレ用隙間シール材を提供することを目的とする。
【０００５】
本発明は、装着部の裏面に接着面を形成し、装着部から添接部に亘る周縁に突条縁を形成し、かつ装着部及び添接部の表面に凹凸面を形成して、隙間への小便の浸入を阻止するだけでなく、小便の拭き取り、跳ねっ返りの低減、装着の容易化を可能にしたトイレ用隙間シール材を提供することを目的とする。
【課題を解決するための手段】
【０００６】
本発明における課題解決のための具体的手段は、次の通りである。
第１に、洋式の便器本体Ａの下部に巻き付ける装着部３と、この装着部３から屈曲部４を介して延設されかつトイレ床Ｂの表面に添接される添接部５とを有しており、
前記装着部３の裏面には接着可能な接着面３Ｂが形成され、前記装着部３から添接部５に亘る周縁には表面側に突出した突条縁７が形成され、前記装着部３及び添接部５の表面には多数の凸部と凹部とを有する凹凸面８が形成されていることを特徴とする。
【０００７】
第２に、前記添接部５は屈曲部４から突出した山部５ａと屈曲部４の近傍の谷部５ｂとが装着部３の長手方向に交互に形成されていることを特徴とする。
第３に、洋式の便器本体Ａの後上部に配置される便器構造物Ｃに添接する装着部３と、この装着部３から屈曲部４を介して延設されかつ便器本体Ａの上縁後部に添接する添接部５とを有しており、
前記装着部３の裏面には接着可能な接着面３Ｂが形成され、前記装着部３から添接部５に亘る周縁には表面側に突出した突条縁７が形成され、前記装着部３及び添接部５の表面には多数の凸部と凹部とを有する凹凸面８が形成されていることを特徴とする。
【０００８】
第４に、前記装着部３から屈曲部４を介して添接部５までシリコーン樹脂で一体成形されており、
前記装着部３から屈曲部４を介して添接部５まで裏面が鏡面仕上げされていることを特徴とする。
第５に、前記凹凸面８は、装着部３から添接部５に至る方向に細長い多数本の山とこの山の間の谷とを有することを特徴とする
【発明の効果】
【０００９】
本発明によれば、隙間への小便の浸入を阻止するだけでなく、小便の拭き取り、跳ねっ返りの低減、装着の容易化を可能にできる。
即ち、請求項１に係る発明は、装着部３の裏面には接着可能な接着面３Ｂが形成されているので、便器本体Ａへの装着が容易でき、装着部３から添接部５に亘る周縁には表面側に突出した突条縁７が形成されているので、強度が向上するとともに小便の溢れ出しを防止でき、装着部３及び添接部５の表面には凹凸面８が形成されているので、小便を拭き取ることが可能になるとともに、小便の跳ねっ返りを低減できる。
【００１０】
請求項２に係る発明は、添接部５は屈曲部４から突出した山部５ａと屈曲部４の近傍の谷部５ｂとが装着部３の長手方向に交互に形成されているので、装着部３を便器本体Ａの下部に巻き付けた状態で、屈曲部４で屈曲して、添接部５を平坦なトイレ床Ｂの表面に広がる状態に無理なく添接することができる。
請求項３に係る発明は、装着部３の裏面には接着可能な接着面３Ｂが形成されているので、便器構造物Ｃへの装着が容易でき、装着部３から添接部５に亘る周縁には表面側に突出した突条縁７が形成されているので、強度が向上するとともに小便の溢れ出しを防止でき、装着部３及び添接部５の表面には凹凸面８が形成されているので、小便を拭き取ることが可能になるとともに、小便の跳ねっ返りを低減できる。
【００１１】
請求項４に係る発明は、装着部３から屈曲部４を介して添接部５までシリコーン樹脂で一体成形されかつ裏面が鏡面仕上げされているので、装着部３の裏面の接着面３Ｂが接着剤を使用しないで接着可能な吸着面に形成できる。
請求項５に係る発明は、凹凸面８は、装着部３から添接部５に至る方向に細長い多数本の山とこの山の間の谷とを有するので、上下方向に伸ばしやすく、保形性も良好になる。
【図面の簡単な説明】
【００１２】
【図１】本発明の実施形態を示す隙間シール材使用状態説明図である。
【図２】便器本体下部用の隙間シール材の正面図である。
【図３】図２のＸ−Ｘ線断面図である。
【図４】図２のＹ−Ｙ線断面図である。
【図５】便器本体下部用の隙間シール材の（ａ）背面図、（ｂ）平面図、（ｃ）底面図、（ｄ）左側面図、（ｅ）右側面図である。
【図６】便器本体上部用の隙間シール材の正面図である。
【図７】便器本体上部用の隙間シール材の（ａ）背面図、（ｂ）平面図、（ｃ）底面図、（ｄ）左側面図、（ｅ）右側面図である。
【発明を実施するための形態】
【００１３】
以下、本発明の実施の形態を図面に基づいて説明する。
図１において、トイレ内に配置される洋式の便器は、便器本体Ａと、この便器本体Ａの後上部に配置される便座取り付け体等の便器構造物Ｃと、この便器構造物Ｃに後部が枢支された便座Ｄ及び便座カバーとを有しており、トイレ床Ｂの上に便器本体Ａを載置している。
【００１４】
前記便器本体Ａとトイレ床Ｂとの間には僅少の隙間が形成されており、この隙間に小便が直接にまたは便器本体Ａを伝って入り込むのを防止するために、隙間シール材１が取り付けられる。
また、前記便器本体Ａの後上部の左右両側部とその上の便器構造物Ｃとの間にも僅少の隙間が形成されており、この左右の隙間に小便が直接にまたは便器構造物Ｃを伝って入り込むのを防止するために、左右一対の隙間シール材２が取り付けられる。
【００１５】
図１〜５において、隙間シール材１は便器本体Ａの下部に巻き付ける装着部３と、この装着部３から屈曲部４を介して延設されかつトイレ床Ｂの表面に添接される添接部５とを有している。
隙間シール材１は、全体がシリコーン樹脂で長い帯形状に一体成形されており、装着部３から屈曲部４を介して添接部５まで裏面が平坦な鏡面に仕上げられている。従って、装着部３の裏面は接着可能、吸着可能な接着面３Ｂとなっており、陶器製の便器本体Ａの下部に巻き付けると、接着剤を用いることなく密着でき、巻き付き状態も長期間維持できる
。
【００１６】
前記隙間シール材１は、装着部３から添接部５に亘る周縁には表面側に突出した突条縁７が形成されている。この突条縁７は隙間シール材１の全周縁を形造るように形成されている。
また、前記隙間シール材１の装着部３及び添接部５の表面には、突条縁７の内側に多数の凸部と凹部とを有する凹凸面８が形成されている。この凹凸面８は、装着部３から添接部５に至る方向に細長い多数本の山（凸部）とこの山の間の谷（凹部）とを有する。
【００１７】
この凹凸面８は山の長手方向が隙間シール材１の上下方向に沿うものであり、帯長手方向（巻き付け方向）に切断した図４では鋸歯形状、アコーデオン形状となる。凹凸面８の山（凸部）及び谷（凹部）の帯長手方向切断形状は、三角形以外に、円弧形状、台形状等であってもよい。
前記凹凸面８は、小便が掛かるとその跳ねっ返りを低減でき、付着した小便を保水して溢れ難くし、付着した小便の拭き取りも可能にする。また、凹凸面８は上下方向に長い山谷であるので、上下方向に伸ばしやすく、保形性も良好になる。
【００１８】
隙間シール材１は、凹凸面８を形成した部分の厚さが０．５〜１．５ｍｍ、好ましくは１ｍｍ前後であり、突条縁７の厚さが凹凸面８を形成した部分の１．５〜２．５倍、好ましくは２倍前後に設定されている。
隙間シール材１の添接部５は、屈曲部４から突出した山部５ａと屈曲部４の近傍の谷部５ｂとが装着部３の長手方向に交互に多数形成されている。この山部５ａと谷部５ｂの縁にも突条縁７は形成されている。
【００１９】
前記山部５ａは屈曲部４との接続部分が最大幅であり、半円形、半楕円形、三角形、四角形、台形等に形成することができ、谷部５ｂは０．５〜２ｍｍ、好ましくは１ｍｍ前後の幅の溝底を有し、亀裂を生じるスリットでないことが好ましい。
前記装着部３は便器本体Ａの円形の下部に巻き付けられるので、屈曲部４から略直角に曲げられる添接部５は外広がりとなり、多数の山部５ａは便器本体Ａから略放射方向に配列されることになる。
【００２０】
この多数の山部５ａを略放射方向配列にするために谷部５ｂが存在し、谷部５ｂの溝底またはその近傍が屈曲部４となってトイレ床Ｂに当接し、便器本体Ａとトイレ床Ｂとの間の隙間に対向してその隙間を塞ぐ。
図６、７において、便器本体Ａの後上部の左右の隙間シール材２は、洋式の便器本体Ａの後上部に配置される便器構造物Ｃに添接する装着部３と、この装着部３から屈曲部４を介して延設されかつ便器本体Ａの上面後部に添接する添接部５とを有している。
【００２１】
前記左右隙間シール材２は対称形状であって、シリコーン樹脂で正面視略台形に形成されており、その縦断面形状は図３と同一であり、横断面形状は帯長形状ではないが、図４と実質的に同一である。
従って、隙間シール材２は隙間シール材１と同様に、装着部３の裏面は鏡面に仕上げられていて便器構造物Ｃに接着可能な接着面３Ｂが形成され、装着部３から添接部５に亘る全周縁には表面側に突出した突条縁７が形成され、装着部３及び添接部５の表面には、装着部３から添接部５に至る方向に長い多数本の長い山（凸部）とこの山の間の谷（凹部）とを有する凹凸面８が形成されている。
【００２２】
なお、本発明は前記実施形態に限定されるものではなく、部材の形状、構成及び組み合わせ等を変更したりすることもでき、表面に撥水性があることが好ましい。
例えば、隙間シール材１、２は、シリコーン樹脂の代わりに、天然又は合成のゴム、柔軟性のある合成樹脂を用いることはできる。
また、隙間シール材１、２は、柔軟性のある材料で平坦形状に形成して、便器本体Ａの下部、トイレ床Ｂ、便器構造物Ｃ、便器本体Ａの後上部等の各部に添接するように変形及び屈曲させているが、熱可塑性又は熱硬化性の樹脂等で予め各部に添接する形状に成形しておいてもよい。
【００２３】
さらに、装着部３から屈曲部４を経て添接部５まで連続した細長い多数本の山とこの山の間の谷とを有する凹凸面８が形成されているが、屈曲部４が形成される部位において、
山を削除して凹凸面８を中断し、屈曲部４における屈曲がさらに容易になるように形成してもよい。
凹凸面８は山谷の長手方向が隙間シール材１、２の上下方向に沿うものであるが、左右方向又は斜め方向に長くなるように形成してもよい。また、凹凸面８は装着部３及び添接部５の表面に半球状の凸部又は凹部を多数点在させて形成してもよい。
【符号の説明】
【００２４】
１          隙間シール材
２          隙間シール材
３          装着部
３Ｂ        接着面
４          屈曲部
５          添接部
５ａ        前記山部
５ａ        山部
５ｂ        谷部
７          突条縁
８          凹凸面
Ａ          便器本体
Ｂ          トイレ床
Ｃ          便器構造物
Ｄ          便座
【図１】
2020025614.tif 000003
【図２】
2020025614.tif 000004
【図３】
2020025614.tif 000005
【図４】
2020025614.tif 000006
【図５】
2020025614.tif 000007
【図６】
2020025614.tif 000008
【図７】
2020025614.tif 000009